(57)【要約】【課題】        針カバー付医療用針に関し、当該翼付針を煩わしい操作なしに容易に、かつ、安全、確実に針カバー内に収納することができる医療用針を提供する。【解決手段】    筒状体の長手方向に順次前方部、略中腹部、及び後方部を有し、その略中腹部の底部に開口を、その後方部にスリット部を形成した筒状の針カバーと、針基の両側部に一対の翼部を装着し、当該針基の前方に針を植設し、当該針基の後方にチューブを装着した翼付針とから構成され、当該翼付針は、当該針カバー内に褶動可能に収納され保護される針カバー付医療用針において、（ａ）前記チューブに係止部を装着するか、または（ｂ）前記針基の後方に係止部を装着し、当該針カバー内に収納した当該翼付針を固定するようにする。【選択図】    図３
2007312982.tif 000002
【特許請求の範囲】
【請求項１】
筒状体の長手方向に順次前方部（２）、略中腹部（３）、及び後方部（４）を有し、その略中腹部（３）の底部に開口（５）を、その後方部（４）にスリット部（７）を形成した筒状の針カバー（１）と、
針基（２３）の両側部に一対の翼部（２４）を装着し、当該針基（２３）の前方に針（２２）を植設し、当該針基（２３）の後方にチューブ（Ｔ）を装着した翼付針（２１）とから構成され、
当該翼付針（２１）は、当該針カバー（１）内に褶動可能に収納され保護される針カバー付医療用針において、
（Ａ）前記チューブ（Ｔ）に係止部（２７）、（２８）を装着するか、または（Ｂ）前記針基（２３）の後方に係止部（３０）を装着し、当該針カバー内に収納した当該翼付針を固定するようにしたことを特徴とする針カバー付医療用針。
【請求項２】
前記針（２２）が、前記針カバー（１）より前方に露出した第一の位置から、前記針（２２）が前記針カバー（１）内に収納し隠される第二の位置まで針カバー（１）内を褶動して移動する際に、前記係止部（２７）、（２８）、（３０）は、前記スリット部（７）を形成した後方部（４）を、当該スリット（７）に沿ってこれを外側に押し広げながら、当該後方部（４）を通過し、当該針（２２）が前記第二の位置まで移動した後は、当該係止部（２７）、（２８）、（３０）の前面が、当該後方部（４）の背面に係止され、当該翼付針は前記第二の位置において当該針カバー内に固定され、第一の位置方向へ移動するのを阻止するようにしたことを特徴とする請求項１に記載の針カバー付医療用針。
【請求項３】
前記翼付針（２１）は、前記針（２２）が、前記針カバー（１）より前方に露出した前記第一の位置にあるときは、当該針（２２）が前記針カバーの前方部（２）から露出した状態で、前記翼部（２４）の前面が前記前方部（２）の背面に当接され、前記係止部（２７）、（２８）、（３０）は、前記略中腹部（３）ないし前記後方部（４）内に位置し、
前記翼付針（２１）が針カバー（１）内に収納し隠される前記第二の位置にあるときは、前記針（２２）が当該前方部（２）ないし前記略中腹部（３）内に配置され、前記係止部（２７）、（２８）、（３０）は、前記後方部（４）から露出して、その前面が当該後方部（４）の背面に係止され、当該翼付針は前記第二の位置において当該針カバー内に固定されるようにしたことを特徴とする請求項１または請求項２に記載の針カバー付医療用針。
【請求項４】
前記係止部（２７）、（２８）、（３０）の外径（Ｄ１）、前記チューブ（Ｔ）の外径（Ｄ２）、前記後方部（４）の開口（４ａ）の径（Ｄ３）、及び前記後方部（４）の内径（Ｄ４）のそれぞれの大きさが以下の関係式を満足するものであることを特徴とする請求項１〜３のいずれかに記載の針カバー付医療用針。
係止部（２７）、（２８）、（３０）の外径（Ｄ１）＞チューブ（Ｔ）の外径（Ｄ２）  （ｉ）
係止部（２７）、（２８）、（３０）の外径（Ｄ１）＞後方部（４）の開口（４ａ）の径（Ｄ３）  （ｉｉ）
係止部（２７）、（２８）、（３０）の外径（Ｄ）＝＜後方部４の内径Ｄ４  （ｉｉｉ）
【請求項５】
前記中腹部（３）の両側部に翼部（２４）を係止するための一対のストッパー（８）を突設したことを特徴とする請求項１〜４のいずれかに記載の針カバー付医療用針。
【請求項６】
筒状体の長手方向に順次前方部（２）、略中腹部（３）、及び後方部（４）を有し、その略中腹部（３）の底部に開口（５）を形成した筒状の針カバー（１’）と、
針基（２３）の両側部に一対の翼部（２４）を装着し、当該針基（２３）の前方に針（２２）を植設し、当該針基（２３）の後方にチューブ（Ｔ）を装着した翼付針（２１）とから構成され、
当該翼付針（２１）は、当該針カバー（１’）内に褶動可能に収納され保護される針カバー付医療用針において、
当該チューブ（Ｔ）または前記針基（２３）の後方に複数のフック（４１）、（５１）、（６１）を有する係止部（４０）、（５０）、（６０）を装着し、当該針カバー内に収納した当該翼付針を固定するようにしたことを特徴とする針カバー付医療用針。
【請求項７】
前記針（２２）が、前記針カバー（１’）より前方に露出した第一の位置から、前記針（２２）が前記針カバー（１）内に収納し隠される第二の位置まで前記針カバー（１）内を褶動して移動する際に、
前記係止部（４０）、（５０）、（６０）のフック（４１）、（５１）、（６１）は、内側に撓みながら当該後方部（４）内を通過し、前記針（２２）が第二の位置まで移動した後は、フック（４１）、（５１）、（６１）の前面が、前記後方部（４）の背面に係止し、かくして、当該翼付針は前記第二の位置において当該針カバー内に固定され、第一の位置方向へ移動するのを阻止するようにしたことを特徴とする請求項６に記載の針カバー付医療用針。
【請求項８】
前記翼付針（２１）は、前記針（２２）が、前記針カバー（１’）より前方に露出した前記第一の位置にあるときは、当該針（２２）が前記針カバーの前方部（２）から露出した状態で、前記翼部（２４）の前面が前記前方部（２）の背面に当接され、前記係止部（４０）、（５０）、（６０）は、前記略中腹部（３）ないし前記後方部（４）内に位置し、
前記翼付針（２１）が針カバー（１）内に収納し隠される前記第二の位置にあるときは、前記針（２２）が当該前方部（２）ないし前記略中腹部（３）内に配置され、前記係止部（４０）、（５０）、（６０）のフック（４１）、（５１）、（６１）は、前記後方部（４）から露出して、その前面が当該後方部（４）の背面に係止され、当該翼付針は前記第二の位置において当該針カバー内に固定されるようにしたことを特徴とする請求項６または請求項７に記載の針カバー付医療用針。
【請求項９】
前記係止部（４０）、（５０）、（６０）のフック（４１）、（５１）、（６１）の外径（Ｄ１１）、チューブ（Ｔ）の外径（Ｄ２）、前記後方部（４）の開口（４ａ）の径（Ｄ３）、及び後方部（４）の内径（Ｄ４）のそれぞれの大きさが以下の関係式を満足するものであることを特徴とする請求項６〜８のいずれかに記載の針カバー付医療用針。
フック（４１）、（５１）、（６１）の外径（Ｄ１１）＞チューブ（Ｔ）の外径（Ｄ２）  （ｉ）
フック（４１）、（５１）、（６１）の外径（Ｄ１１）＞後方部（４）の開口（４ａ）の径（Ｄ３）  （ｉｉ）
フック（４１）、（５１）、（６１）の外径（Ｄ１１）＞後方部（４）の内径（Ｄ４）
（ｉｉｉ）
【発明の詳細な説明】
【技術分野】
【０００１】
本発明は、透析、輸液及び輸血等に使用される、例えばPSV(Pediatric Scalp Vein)set、AVF(Arteriovenous Fistula）set等の翼付針に関する。より詳しくは針カバー付翼付針の改良に関し、当該針の確実性、安全性を保持しながら、操作性を向上させた発明に関する。
【背景技術】
【０００２】
近年、保菌者の血液や体液により汚染された医療用針を通して感染するウイルス性肝炎やＡＩＤＳ等の感染症の拡がりとともに、医療施設では、輸血や透析等に従事する医療従事者の誤穿刺による感染が問題となっている。また、汚染した血液が付着した針により、廃棄物処理の作業従事者が作業中に誤って指等を刺してしまう危険性があった。
【０００３】
このため、特に、使用後の医療用針を安全に収納する針カバー付翼付針がいくつか提案されている。
本発明者らは、中腹部の両側に、翼状の一対のストッパーを突設した針カバーに収納された新規な針カバー付翼付針を提案した（特許文献１を参照。）。この発明においては、使用後の翼付針は、前記針カバーに収納された後、前記翼付針の両翼部を上側に折り曲げることにより、当該両翼は、当該翼状のストッパーと交差して係止され、かくして、翼状針は針カバーより突出しない。
【０００４】
また、本発明者らは、この針カバー付翼付針に関し、この翼付針の針基に接続されているチューブを、針カバーの後方部に形成した溝に狭持して針の固定をより確実に行うことも提案している（特許文献２を参照。）。
【０００５】
しかしながらこれら提案されている翼付針においては、両翼部と、翼状のストッパーとの交差のよる係止作業は、煩わしく、またかなりの熟練が要求される。特に手の大きな器用でない作業者にとって、翼状針の両翼部を上側に折り曲げる操作と、さらに当該両翼を針カバーの翼状のストッパーと交差して係止する作業は、容易なものではなかった。
【０００６】
またLiuは、シース（sheath）（ガード）側に、翼を形成した翼付きシース内（winged-equipped sheath）に針を引き込み可能に収納した医療用針を提案している（特許文献３を参照。）。具体的には、当該医療用針は、その図３から図５に記載されているように、針基３１後方の管状体１０に、螺子状の上方接続部１１と環状の下方接続部１２が形成されている。そして、針３２を、翼付シース４内に収納するときに、下方接続部１２が、翼付シース４の後方端部４１１を乗り越えて当該シース外へ移動し、上方接続部１１が、この翼付シース４の後方端部４１１に螺合される。
【０００７】
この特許文献３記載の発明においては、針３２を翼付シース４内に収納するときは、まず下方接続部１２が翼付シース４の後方を乗り越える操作を行い、さらに上方接続部１１を翼付シース４の後方に螺合する二重の操作を行わなければならないので、操作が煩わしい。
【０００８】
またLiuは、安全スライドスリーブ内に収納可能な医療用針をも提案している（特許文献４を参照。）。具体的には、当該医療用針は、その図１から図５に記載されているように、針基３１後方の管状体１０に、翼状の複数の案内リブ１２が形成されているものである。注射針３を安全スライドスリーブ４内に収納するとき、案内リブ１２が安全スライドスリーブ４の後方（底部）の内方延伸ラッチングフランジ４１１を乗り越えて、安全スライドスリーブ４の後方壁面に係止される。
【０００９】
この特許文献４記載の発明においては、そもそもこの針は翼を有するものでなく、また当該スリーブ内に収納されたまま輸液等の操作が行えるものではない。また、使用後の注射針３を安全スライドスリーブ４内に収納するとき、翼状の複数の案内リブ１２が安全スライドスリーブ４の後方を乗り越えなければならないので、操作にかなり強い力を必要とするので、操作性に難がある。
【００１０】
また同様に翼付針に関するものではないが、針Ｎと、両斜面太身部６、片斜面太身部４、及びその間に数個の細身部を形成したこの針を保持する針基と、この細身部に係合する内向きフランジを形成してあり、当該針基に係合するキャップ１０からなるキャップ一体型使い捨て注射針が提案されている（特許文献５を参照。）。
【００１１】
この特許文献５記載の発明においては、針Ｎを、針キャップ１０内に収納するときに、針キャップ１０後方を、それぞれ両斜面太身部６と片斜面太身部４が二回にわたって、乗り越えなければならないので、操作が煩わしいという問題がある。
【００１２】
【特許文献１】特開２００１−３２７５９９号公報（特許請求の範囲（請求項１〜８）、図４〜図５）
【特許文献２】特開２００３−１１６９９６号公報（特許請求の範囲（請求項１〜６）、図３、図６）
【特許文献３】米国特許第５９３１８１５号明細書（図３〜図５）
【特許文献４】米国特許第６２００２９４号明細書（図１〜図５）
【特許文献５】特開平３−１５８１７１号公報（特許請求の範囲（請求項１〜３）、図１〜図３）
【発明の開示】
【発明が解決しようとする課題】
【００１３】
本発明の目的は、針カバー付医療用針において、当該翼付針を煩わしい操作なしに容易に、かつ、安全、確実に針カバー内に収納することができる医療用針を提供することである。
【課題を解決するための手段】
【００１４】
Ａ  本発明に従えば、以下の針カバー付医療用針が提供される。
〔１〕
筒状体の長手方向に順次前方部（２）、略中腹部（３）、及び後方部（４）を有し、その略中腹部（３）の底部に開口（５）を、その後方部（４）にスリット部（  ７）を形成した筒状の針カバー（１）と、
針基（２３）の両側部に一対の翼部（２４）を装着し、当該針基（２３）の前方に針（２２）を植設し、当該針基（２３）の後方にチューブ（Ｔ）を装着した翼付針（２１）とから構成され、
当該翼付針（２１）は、当該針カバー（１）内に褶動可能に収納され保護される針カバー付医療用針において、
（Ａ）前記チューブ（Ｔ）に係止部（２７）、（２８）を装着するか、または（Ｂ）前記針基（２３）の後方に係止部（３０）を装着し、当該針カバー内に収納した当該翼付針を固定するようにしたことを特徴とする針カバー付医療用針。
【００１５】
〔２〕
前記針（２２）が、前記針カバー（１）より前方に露出した第一の位置から、前記針（２２）が前記針カバー（１）内に収納し隠される第二の位置まで針カバー（１）内を褶動して移動する際に、前記係止部（２７）、（２８）、（３０）は、前記スリット部（７）を形成した後方部（４）を、当該スリット（７）に沿ってこれを外側に押し広げながら、当該後方部（４）を通過し、当該針（２２）が前記第二の位置まで移動した後は、当該係止部（２７）、（２８）、（３０）の前面が、当該後方部（４）の背面に係止され、当該翼付針は前記第二の位置において当該針カバー内に固定され、第一の位置方向へ移動するのを阻止するようにしたことを特徴とする〔１〕に記載の針カバー付医療用針。
【００１６】
〔３〕
前記翼付針（２１）は、前記針（２２）が、前記針カバー（１）より前方に露出した前記第一の位置にあるときは、当該針（２２）が前記針カバーの前方部（２）から露出した状態で、前記翼部（２４）の前面が前記前方部（２）の背面に当接され、前記係止部（２７）、（２８）、（３０）は、前記略中腹部（３）ないし前記後方部（４）内に位置し、
前記翼付針（２１）が針カバー（１）内に収納し隠される前記第二の位置にあるときは、前記針（２２）が当該前方部（２）ないし前記略中腹部（３）内に配置され、前記係止部（２７）、（２８）、（３０）は、前記後方部（４）から露出して、その前面が当該後方部（４）の背面に係止され、当該翼付針は前記第二の位置において当該針カバー内に固定されるようにしたことを特徴とする〔１〕または〔２〕に記載の針カバー付医療用針。
【００１７】
〔４〕
前記係止部（２７）、（２８）、（３０）の外径（Ｄ１）、前記チューブ（Ｔ）の外径（Ｄ２）、前記後方部（４）の開口（４ａ）の径（Ｄ３）、及び前記後方部（４）の内径（Ｄ４）のそれぞれの大きさが以下の関係式を満足するものであることを特徴とする〔１〕〜〔３〕のいずれかに記載の針カバー付医療用針。
係止部（２７）、（２８）、（３０）の外径（Ｄ１）＞チューブ（Ｔ）の外径（Ｄ２）  （ｉ）
係止部（２７）、（２８）、（３０）の外径（Ｄ１）＞後方部（４）の開口（４ａ）の径（Ｄ３）  （ｉｉ）
係止部（２７）、（２８）、（３０）の外径（Ｄ）＝＜後方部４の内径Ｄ４  （ｉｉｉ）
【００１８】
〔５〕
前記中腹部（３）の両側部に翼部（２４）を係止するための一対のストッパー（８）を突設したことを特徴とする〔１〕〜〔４〕のいずれかに記載の針カバー付医療用針。
【００１９】
Ｂ  また本発明に従えば、以下の針カバー付医療用針が提供される。
〔６〕  
筒状体の長手方向に順次前方部（２）、略中腹部（３）、及び後方部（４）を有し、その略中腹部（３）の底部に開口（５）を形成した筒状の針カバー（１’）と、
針基（２３）の両側部に一対の翼部（２４）を装着し、当該針基（２３）の前方に針（２２）を植設し、当該針基（２３）の後方にチューブ（Ｔ）を装着した翼付針（２１）とから構成され、
当該翼付針（２１）は、当該針カバー（１’）内に褶動可能に収納され保護される針カバー付医療用針において、
当該チューブ（Ｔ）または前記針基（２３）の後方に複数のフック（４１）、（５１）、（６１）を有する係止部（４０）、（５０）、（６０）を装着し、当該針カバー内に収納した当該翼付針を固定するようにしたことを特徴とする針カバー付医療用針。
【００２０】
〔７〕
前記針（２２）が、前記針カバー（１’）より前方に露出した第一の位置から、前記針（２２）が前記針カバー（１）内に収納し隠される第二の位置まで前記針カバー（１）内を褶動して移動する際に、
前記係止部（４０）、（５０）、（６０）のフック（４１）、（５１）、（６１）は、内側に撓みながら当該後方部（４）内を通過し、前記針（２２）が第二の位置まで移動した後は、フック（４１）、（５１）、（６１）の前面が、前記後方部（４）の背面に係止し、かくして、当該翼付針は前記第二の位置において当該針カバー内に固定され、第一の位置方向へ移動するのを阻止するようにしたことを特徴とする〔６〕に記載の針カバー付医療用針。
【００２１】
〔８〕
前記翼付針（２１）は、前記針（２２）が、前記針カバー（１’）より前方に露出した前記第一の位置にあるときは、当該針（２２）が前記針カバーの前方部（２）から露出した状態で、前記翼部（２４）の前面が前記前方部（２）の背面に当接され、前記係止部（４０）、（５０）、（６０）は、前記略中腹部（３）ないし前記後方部（４）内に位置し、
【００２２】
前記翼付針（２１）が針カバー（１）内に収納し隠される前記第二の位置にあるときは、前記針（２２）が当該前方部（２）ないし前記略中腹部（３）内に配置され、前記係止部（４０）、（５０）、（６０）のフック（４１）、（５１）、（６１）は、前記後方部（４）から露出して、その前面が当該後方部（４）の背面に係止され、当該翼付針は前記第二の位置において当該針カバー内に固定されるようにしたことを特徴とする〔６〕または〔７〕に記載の針カバー付医療用針。
【００２３】
〔９〕
前記係止部（４０）、（５０）、（６０）のフック（４１）、（５１）、（６１）の外径（Ｄ１１）、チューブ（Ｔ）の外径（Ｄ２）、前記後方部（４）の開口（４ａ）の径（Ｄ３）、及び後方部（４）の内径（Ｄ４）のそれぞれの大きさが以下の関係式を満足するものであることを特徴とする〔６〕〜〔８〕のいずれかに記載の針カバー付医療用針。
フック（４１）、（５１）、（６１）の外径（Ｄ１１）＞チューブ（Ｔ）の外径（Ｄ２）            （ｉ）
フック（４１）、（５１）、（６１）の外径（Ｄ１１）＞後方部（４）の開口（４ａ）の径（Ｄ３）  （ｉｉ）
フック（４１）、（５１）、（６１）の外径（Ｄ１１）＞後方部（４）の内径（Ｄ４）              （ｉｉｉ）
【発明の効果】
【００２４】
本発明の針カバー付医療用針においては、次のごとき有利な効果を有する。すなわち、針２２が針カバー１より前方に露出した第一の位置から、針２２が針カバー１内に収納される第二の位置まで移動する際に、係止部２７、２８、３０は、後方部４をスリット７に沿って外側に押し広げながら、当該後方部４を通過し、針２２が第二の位置まで移動した後は、係止部２７、２８、３０の前面が、後方部４の背面に係止することにより、第一の位置方向へ移動するのを阻止するので、チューブＴを後方に引っ張って、翼付針２１を後退させるのみで、係止部２７、２８、３０が、針カバー１の後方部を簡単に乗り越えて、係止できるので、操作性が非常に良い。
【００２５】
本発明の針カバー付医療用針においては、また次のような有利な効果をも有する。すなわち、針２２が針カバー１より前方に露出した第一の位置から、針２２が針カバー１内に収納される第二の位置まで移動する際に、前記係止部４０、５０、６０のフック４１、５１、６１は、内側に撓みながら後方部４内を通過し、針２２が第二の位置まで移動した後は、フック４１、５１、６１の前面が、後方部４の背面に係止することにより、第一の位置方向へ移動するのを阻止するので、チューブＴを後方に引っ張って、翼付針２１を後退させるのみで、係止部４０、５０、６０が、針カバー１の後方部内を簡単に通過して、係止できるので、操作性が非常に良い。
【発明を実施するための最良の形態】
【００２６】
以下、図面を参照しながら、本発明の針カバー付き医療用針の好適な実施の態様について説明する。
（針カバー付き医療用針）
本発明の針カバー付き医療用針は、基本的に、図３〜図１３に示すように、その略中腹部３に開口部５を、その後方部４にスリット部７を形成した針カバー１と、針基２３に 翼部２４を装着し、当該針基２３の前方に針２２を植設し、当該針基２３の後方にチューブＴを装着した翼付針２１とから構成される。そして当該翼付針２１は、当該針カバー１内に褶動可能に収納（収容）される。
【００２７】
針カバー１は、図１（Ａ）〜（Ｂ）に示すように、筒状体の長手方向に順次前方部２、略中腹部３、及び後方部４を区画した場合、その略中腹部３の底部には、すなわち略半分（略半円等状に）開口されて開口５を形成し、またその後方部４にスリット部７を形成した筒状の針カバーである。
【００２８】
針カバー１は、半硬質の材料、好ましくは、ポリエチレン、ポリプロピレン、ポリブテン、ポリスチレン、メタクリル樹脂、ポリカーボネート、ポリ塩化ビニル、四フッ化エチレン樹脂、ポリアミド、ポリエチレンテレフタレート等の半硬質熱可塑性樹脂で形成されることが好ましい。
【００２９】
針カバー形成材料として半硬質材料が好ましいのは、収容した翼付針を衝撃その他から充分保護するガードの機能を奏する剛性があるとともに、収容した翼付針の針基等をその後方部の開口５を通して引き出す場合に、ある程度変形して開口５が拡張する弾性を備えることが望ましいからである。
【００３０】
後方部４に形成するスリット７は、一本でも良いし複数本（二本以上）でも良くその形状も特に限定しない。当該スリットは、後記するように、使用後の針２２が針カバー２２内に引き込まれ収容される際に、これに応じて、針基２３の後部が係止部とともに、針カバーの後方部４の開口４ａから外方に突出することになるが、当該スリット部分がこの通過時に、ある程度柔軟性をもって、外側に押し広げられて、当該開口４ａを拡張することによって、当該針基の後部の外部への突出を、助長できる機能を奏するものであれば、その形状や数等は特に限定するものではない。
【００３１】
また後方部４は、図１（Ａ）、図２（Ａ）に例示するように、外部の形状を後方端部に向けて先細りテーパー状に形成しても良いし、図３（Ａ）、（Ｂ）、（Ｃ）に例示するように、外部の形状をストレートに形成し、内壁面を後方端部に向けて肉厚にして、先細りテーパー状に形成しても良い。
【００３２】
なお、図において、４ｂは、針カバー後方部４の端面（背面）である。後記するようにこの端面４ｂが係止部と圧接して固定され、針基が当該開口４から針カバー内に戻るのを防止する。
【００３３】
また必要に応じて、図２（Ａ）、図２（Ｂ）に例示するように中腹部３の両側部に一対の翼状のストッパー８を形成（装着）しても良い。当該ストッパー８は、すでに述べた本発明者らの出願にかかる特許文献１に記載されているとおり、翼部２４と交差して針１２を固定するという、機能・役割を果たすものである。ストッパー８は、翼状に形成され、後方部４方向に向けて（若干上方向に）傾斜するように形成されている。なお、ストッパー８についての採用可能の形状等についてのバリエーションは、当該特許文献１に示されている種々の態様も好適に本発明の目的に採用することができる。
【００３４】
また、針カバーの前方部２には、突部２ａが設けられていることも好ましい。当該突部２ａは、発明の針カバー付翼付針を使用する場合、作業者が指で把持する部分である。
【００３５】
本発明の翼付針２１は、例えば図３（Ｄ）の平面図に示すように、針基２３の両側部に一対の翼部２４を装着し、当該針基２３の前方に針２２を植設し、また、当該針基２３の後方には、チューブＴを装着（接続）したものである。この当該翼付針２１は、例えば図３（Ａ）〜図３（Ｃ）に示すように、前記針カバー１内に褶動可能に収納され保護される。なお、針カバー内に収納された翼付き針の種々の動作または使用方法については、図４〜図１３を参照しながら後述する。
【００３６】
（係止部２７、２８、３０）
本発明においては、図３〜図１２に例示すように、前記チューブＴに係止部２７、２８を装着するか、または図１３に示すように、前記針基２３の後方に係止部３０を装着若しくは形成する。このようにして、当該針カバー内に収容した当該翼付針を固定することができる。
【００３７】
チューブＴに装着する係止部２７の形状は、図３〜図８に示すように、リング状（比較的短い略円筒形状のものを意味する。）であってもよいし、図９〜図１２に例示するように、パイプ状（比較的長い略円筒形状のもの、または、チューブ状のものを意味する。）であってもよい。これらのリング状またはパイプ状の係止部は図９から図１２等に示すように、ストレート（均一な径）寸胴に形成してもよいし、図３から図８等に示すように、先細りのテーパーを形成してもよい。
【００３８】
同様に、針基２３の後方部に形成または装着する係止部３０は、図１３に例示するように、リング状でも良いし、前記したようにパイプ状またはくさび状（フックともいう。）でも良い。
【００３９】
針基１や係止部２７、２８、３０は、針カバーを形成する材料と同様のポリエチレン、ポリプロピレン、ポリブテン、ポリスチレン、メタクリル樹脂、ポリカーボネート、ポリ塩化ビニル、四フッ化エチレン樹脂、ポリアミド、ポリエチレンテレフタレート等の半硬質熱可塑性樹脂で、射出成形により形成されることが好ましい。形成された係止部２７、２８、３０は、接着等の固着手段によりチューブＴまたは針基の外表面（外周）にチューブ状またはリング状に装着する。
【００４０】
なお、係止部３０の場合は、これを針基２３について形成する場合は、当該針基を半硬質プラスチックにより射出成形等で形成する際に、係止部３０を針基の後半部に一体成形により形成することができる。もちろん、上記したように、半硬質プラスチック材料で別に形成した係止部３０を、針基に接着等の手段で装着してもよい。
【００４１】
また、係止部２７、２８、３０は、外周にテーパー状の突起（フックともいう）を、形成しても良い。
【００４２】
（係止部による係止作用）
本発明の針カバー付医療用針は、前記針２２が、前記針カバー１より前方に露出した第一の位置（例えば図３（Ａ）で示される。）から、前記針２２が前記針カバー１内に収納し隠される第二の位置（例えば、図３（Ｃ）で示される。）まで針カバー１内を褶動して移動する際に、前記係止部２７、２８、３０は、前記スリット部７を形成した後方部４を、当該スリット７に沿ってこれを外側に押し広げながら、当該後方部４を通過し、当該針２２が前記第二の位置まで移動した後は、当該係止部２７、２８、３０の前面が、当該後方部４の背面（より正確には端面４ｂ）に係止され、このようにして、当該翼付針は前記第二の位置において当該針カバー内に固定され、第一の位置方向へ再び移動するのを阻止する。
【００４３】
また、本発明の針カバー付医療針は、前記翼付針２１が、前記針２２が、前記針カバー１より前方に露出した前記第一の位置（例えば、図３（Ａ））にあるときは、当該針２２が前記針カバーの前方部２から露出した状態で、前記翼部２４の前面が前記前方部２の背面に当接され、前記係止部２７、２８、３０は、前記略中腹部３ないし前記後方部４内に位置し、前記翼付針２１が針カバー１内に収容し隠される前記第二の位置（例えば図３（Ｃ））にあるときは、前記針２２が当該前方部２ないし前記略中腹部（３）内に配置され、前記係止部２７、２８、３０は、前記後方部４から露出して、その前面が当該後方部４の背面に係止され、このようにして、当該翼付針は前記第二の位置において当該針カバー内に固定される。
【００４４】
本発明の針カバー付医療用針においては、前記係止部２７、２８、３０の外径Ｄ１、前記チューブＴの外径Ｄ２、前記後方部４の開口４ａの径Ｄ３、及び前記後方部４の内径Ｄ４のそれぞれの大きさが、例えば図５，図８，図１３に示したように、以下の関係式（ｉ）−（ｉｉｉ）を満足するものであることが好ましい。すなわち、
【００４５】
係止部２７、２８、３０の外径Ｄ１＞チューブＴの外径Ｄ２        （ｉ）
係止部２７、２８、３０の外径Ｄ１＞後方部４の開口４ａの径Ｄ３  （ｉｉ）
係止部２７、２８、３０の外径Ｄ＝＜後方部４の内径Ｄ４          （ｉｉｉ）
【００４６】
ここで、係止部２７、２８、３０の外径Ｄ１は、例えば図５のようにテーパー部分がある場合、径のもっとも大きい部分である。また、後方部４の内径Ｄ４も図５のようにテーパー部分がある場合は、径のもっとも大きい部分である。
つぎに本発明の針カバー付医療用針の使用方法の一例について図面を参照しながら説明する。
【００４７】
（針カバー付医療用針の使用方法ｉ）（図３〜図６）
図３〜図６において、図３（Ａ）、図４（Ａ）、図５（Ａ）及び図６（Ａ）は、針２２が針カバー１より前方に露出した第一の位置（ｐ１）を、図３（Ｃ）、図４（Ｃ）、図５（Ｃ）及び図６（Ｉ）は、針２２が針カバー１内に収納され、保護されている第二の位置（ｐ２）を示す。そして、図３（Ｂ）、図４（Ｂ）、図５（Ｂ）及び図６（Ｂ）〜図６（Ｈ）は、針２２が第一の位置（ｐ１）から第二の位置（ｐ２）へ移動する途中（ｐｔ）をそれぞれ示している。
【００４８】
（１）患者に薬液等の注入を終えた状態においては、針２２は針カバー１より前方に露出した第一の位置にある。これが図３（Ａ）、図４（Ａ）、図５（Ａ）及び図６（Ａ）に示された状態である。
【００４９】
（２）針２２を第一の位置から第二の位置まで移動させるため、針カバー１を片方の手で固定し、他方の手でチューブＴを後方に引き、当該チューブ部分を針カバー２３の後方部の後方開口４ａから外へ引き出す。図３（Ｂ）、図４（Ｂ）、図５（Ｂ）はリング状の係止部２７が後方開口４ａを通過する状態である。
【００５０】
図６（Ｂ）〜図６（Ｈ）は、この過程をさらに詳細に例示するものであって、リング状の係止部２７は、順次、後方部４方向へ移動し、当該係止部２７が開口４ａを通過する際には、後方部４をスリット７に沿って外側に押し広げながら、後方部４を通過する。このように後方部４にスリット７を形成しておくことにより、当該後方部４が、柔軟性をもって、外側に押し広げられて、当該開口４ａを拡張することによって、特に係止部２７の部分の外部への移動が助長される。
【００５１】
（３）係止部２７の部分が後方開口４ａ外へ出た状態、すなわち、針２２が針カバー１内に収納される第二の位置まで移動した状態において、当該係止部２７の前面２７ａが、後方部４の背面（より正確には後方開口の端面４ｂ）に圧接することにより係止される。すなわち、係止部２７の外径Ｄ１は、後方部４開口４ａの径Ｄ３より大きく形成されているので、係止部２７の前面が、後方部４の端面４ｂに接触し圧接するため後方部４方向へ逆に移動するのを阻止するのである。針２２は、針カバー１内に収納された後は、再び針カバー１から第一の位置方向へ移動して、鋭利な針先が露出することはない。
【００５２】
（針カバー付医療用針の使用方法ｉｉ）（図７〜図８）
図７〜図８は、針カバー１に、翼状ストッパー８を形成した場合の使用法の一例を示すものである。基本的には、上記と同様の操作が行われる。
図７〜図８において、図７（Ａ）及び図８（Ａ）は、針２２が針カバー１より前方に露出した第一の位置（ｐ１）を、図７（Ｃ）及び図８（Ｃ）は、針２２が針カバー１内に収納され、保護されている第二の位置（ｐ２）を示す。そして、図７（Ｂ）及び図８（Ｂ）は、針２２が第一の位置（ｐ１）から第二の位置（ｐ２）へ移動する途中の位置（ｐｔ）をそれぞれ示している。
【００５３】
（１）患者に薬液等の注入を終えた状態においては、針２２は針カバー１より前方に露出した第一の位置にある。これが図７（Ａ）及び図８（Ａ）に示された状態である。
【００５４】
（２）上記と同様にして針２２を第一の位置から第二の位置まで移動させるため、針カバー１を片方の手で固定し、他方の手でチューブＴを後方に引いて、当該チューブ部分を針カバー２３の後方部の後方開口４ａから外へ引き出す。図７（Ｂ）及び図８（Ｂ）はリング状の係止部２７が後方開口４ａを通過する状態であり、係止部２７は、後方部４をスリット７に沿って外側に押し広げながら、後方部４を通過する。
この場合、翼部２４と翼状ストッパー８とは、図７（Ｂ）及び図８（Ｂ）に示すように、対向しながら相対的に逆方向に移動することになる。
【００５５】
（３）係止部２７の部分が後方開口４ａ外へ出た状態（針２２が針カバー１内に収納される第二の位置まで移動した状態）においては、上記したように、当該係止部２７の前面２７ａが、後方開口の端面４ｂに圧接することにより係止される。
【００５６】
この第二の位置において、翼状のストッパー８は、後方部４方向に向けて（若干上方向に）傾斜するように形成されているので、チューブＴを後方に引くと翼付針２１の翼部２４がストッパー８の傾斜部を乗り越えて係合し、係止する。このようにして、翼部２４と翼状ストッパー８も係止するので、針２２は、針カバー内により安定的に固定される。
【００５７】
係止部２７の外径Ｄ１は、後方部４の開口４ａの径Ｄ３より大きく形成され、翼２４はストッパー８に係止されているので、上記したごとく、係止部２７は、後方部４方向へ逆に移動するのを阻止される。また、上記したように、翼部２４は後方部４とストッパー８の間に前後に移動しないように固定される。かくして、針２２は、針カバー１内に収納された後は、二度と針カバー１から第一の位置方向へ移動して、鋭利な針先が露出することはない。
【００５８】
（針カバー付医療用針の使用方法ｉｉｉ）（図９〜図１０）
図９〜図１０は、図３〜図６のリング状係止部２７を、より長いパイプ状係止部２８に代えた例である。
【００５９】
基本的には、上記図３〜図６について説明したものと同様の操作が行われる。ただし、係止部２８は係止部２７に対し、針２２が針カバー１から露出した第一の位置（p１）から、針２２が針カバー１内に収納される第二の位置（ｐ２）へ移動する場合、後方部４を通過する場合の移動をよりスムーズに行わせるために、形状が異なっている点に差異がある。
【００６０】
すなわち、上記した図３〜図６に例示した比較的短い略円筒形状であるリング状の係止部２７の場合は、第一の位置では、係止部２７は、図３（Ａ）〜図６（Ａ）に示されているように、図略中腹部３（開口部５）の位置にある。従って、第二の位置へ移動する際には、開口部５から出て後方部４に移動する際に、当該後方部４（の対向する端面）に引っ掛かり易い。そのために、図３Ａ等に示されているように、リング状係止部２７のチューブ側（すなわち、後方部４の対向端面に最初に接触する側）をテーパー状（くさび型）に形成して、引っかかりを少なくし、スムーズに移動しうるようにしている。
【００６１】
これに対し、図９〜図１０に例示した比較的長い略円筒形状であるチューブ状のパイプ状係止部２８の場合は、第一の位置で、例えば図１０（Ａ）に示したように、すでに当該係止部の後方部（チューブ側の端面）が針カバー１の後方部４の中に位置している。そのため、第二の位置へ移動する際は、そのまま当該後方部４中を後方部開口４ａに向かって進行させればよく、開口後方部４（の対向する端面）に引っ掛からずにスムーズに移動することができる。
その他の使用方法は、図３〜図６の場合等と実質的に同じであるから、詳細な説明は省略する。
【００６２】
（針カバー付医療用針の使用方法ｉｖ）（図１１〜図１３）
図１１〜図１２は、針カバー１に、翼状ストッパー８を形成した場合の使用法の例を示す。これはすでに述べた翼状ストッパー８を形成した場合の使用法の例を示す図７〜図８におけるリング状係止部２７を、パイプ状係止部２８に代えたものに相当するものであり、使用方法は、上記したものと実質的に同じであるから、詳細な説明は省略する。
【００６３】
また、図１３は、針基２３の後方部に装着または形成する係止部３０の場合の例を示すものである。すなわち、係止部３０は、図３〜図６におけるリング状の係止部２７を、チューブＴではなく、針基２３の後方部に装着等する点が異なるのみであり、実際の使用方法は、図３〜図６と実質的に同じであるから、これについても詳細な説明は省略する。
【００６４】
（針カバー付き医療用針の別の実施態様）
本発明の針カバー付き医療用針はまた、その別の実施態様として、図１４〜図１５に示すものがある。基本的には、当該医療用針は、上記と同様に、その略中腹部３に開口５を形成した針カバー１’と、針基２３の 翼部２４を装着し、当該針基２３の前方に針２２を植設し、当該針基２３の後方にチューブＴを装着した翼付針２１とから構成され、当該翼付針２１は、当該針カバー１内に褶動可能に収容されるものであるが、この態様においては、当該チューブＴまたは前記針基２３の後方に複数のフック４１、５１を有する係止部４０、５０、６０を装着し、このようにして、当該針カバー内に収容した当該翼付針を固定するようにしたものである。
【００６５】
針カバー１’は、基本的には図１（Ａ）〜図１（Ｂ）に示すものと同じであり、筒状体の長手方向に順次前方部２、略中腹部３、及び後方部４を区画した場合、その略中腹部３の底部には、すなわち略半分（略半円等状に）開口されて開口５を形成してある。ただし、複数のフック４１、５１を有する係止部を採用しているため、当該後方部４にはテーパーを形成することは必ずしも必要はなく、また、後方部４にスリット部７を形成する必要もない。
【００６６】
（係止部４０、５０、６０）
本発明の別の実施態様においては、フック４１、５１を形成する場合、図１４〜図１５に例示するように、針基本体４２、５２の後方に連結部４３、５３を延設して、当該連結部４３、５３の後端にフック４１、５１を形成することができる。当該連結部４３、５３は針基本体表面に固定されているものであるから、フック４１、５１は、当該連結部４３、５３を介して針基本体４２、５２上に固定される。ここで「フック」とは、鉤部、かえり部、出っ張り部等の形状の係止作用を有する部位を意味する。
【００６７】
連結部４３、５３とフック４１、５１は、最低一個ないし二個あれば良く、３個以上から１０個あっても良い。図１４（Ａ）〜図１４（Ｆ）に例示するように、短いフック４１でも良いし、図１５（Ａ）〜図１５（Ｆ）に示したような比較的長いフック５１でも良い。また、連結部４３、５３の部分を実質的に無くして、針基本体４２、５２の後方に、直接フック４１、５１を形成するようにしてもよい。
【００６８】
また翼付針２１の針基２３の後方に、係止部４０、５０（フック４１、５１）を直接、または一体的に形成しても良い。
さらにまた、図１６に例示する係止部６０のように、連結部６３の後方（チューブＴ側）を環状の固定部材６５で固定し、フック６１を当該連結部６３の略中央に形成しても良い。
【００６９】
上記した係止部４０、５０，６０においては、連結部４３、５３、６３及びフック４１、５１、フック６１が、針カバー１の後方部４を通過する時はチューブと一緒にチューブ内径側に撓む。そして通過後に、再びもとの形状に戻ることにより、フック４１、５１、６１の前面が針カバー後方部４の背面（開口端面４ｂ）に係合してストッパーとなる。
【００７０】
基本的には、上記のようにして、係止部４０、５０、６０において、そのフック４１、５１、６１により、係止作用が奏されるが、前記係止部４０、５０の形状の場合は、次の懸念がある。すなわち、係止部４０、５０においては、翼付針２１の針基２３側を４２、４５で固定しているが、フック４１、５１側は固定していないのでチューブＴ側にスライドさせる時、連結部４３，５３がやや不安定でフック４１、５１が不規則に撓む可能性がある。さらに、図１４に示したような短いフック４１の場合は、スムーズに針カバー１の後方部４内を褶動スライドしにくいことが懸念される。係止部４０、５０に関するこれらの懸念は、環状固定部材６２、６５を備えた係止部６０により解消できる。
【００７１】
係止部４０、５０、６０は、係止部２７、２８、３０と同様のポリエチレン、ポリプロピレン、ポリブテン、ポリスチレン、メタクリル樹脂、ポリカーボネート、ポリ塩化ビニル、四フッ化エチレン樹脂、ポリアミド、ポリエチレンテレフタレート等の半硬質熱可塑性樹脂で、射出成形により形成されることが好ましい。形成された係止部４０、５０、６０は、同様に接着等の固着手段により針基の外表面（外周）に装着する。
【００７２】
なお、係止部４０、５０、６０は、当該針基を半硬質プラスチックにより射出成形等で形成する際に、これら係止部４０等を針基の後半部に一体成形により形成することもできる。
【００７３】
（係止部３０、４０、６０による係止作用）
本発明の針カバー付医療用針の別の実施態様においては、前記針２２が、前記針カバー１より前方に露出した第一の位置（例えば図１４（Ａ）で示される。）から、前記針２２が前記針カバー１内に収納し隠される第二の位置（例えば図１４（Ｃ）で示される。）まで前記針カバー１内を褶動して移動する際に、前記係止部４０、５０、６０のフック４１、５１、６１は、内側に撓みながら当該後方部４内を通過し、前記針２２が第二の位置まで移動した後は、フック４１、５１、６１の前面が、前記後方部４の背面に（より正確には後方開口４ａの端面４ｂに引っかかり）係止し、このようにして、当該翼付針は前記第二の位置において当該針カバー内に固定され、第一の位置方向へ再び移動するのを阻止する。
【００７４】
また、本発明の針カバー付医療用針の別の実施態様においては、前記翼付針２１は、前記針２２が、前記針カバー１より前方に露出した前記第一の位置（例えば図１４（Ａ））にあるときは、当該針２２が前記針カバーの前方部２から露出した状態で、前記翼部２４の前面が前記前方部２の背面に当接され、前記係止部４０、５０、６０は、前記略中腹部３ないし前記後方部４内に位置し、前記翼付針２１が針カバー１内に収納し隠される前記第二の位置（例えば図１４（Ｃ））にあるときは、前記針２２が当該前方部２ないし前記略中腹部３内に配置され、前記係止部４０、５０、６０のフック４１、５１、６１は、前記後方部４から露出して、その前面が当該後方部４の背面に（より正確には後方開口４ａの端面４ｂに引っかかり）係止され、このようにして、当該翼付針は前記第二の位置において当該針カバー内に固定される。
【００７５】
本発明の針カバー付医療用針の別の実施態様においては、前記係止部４０、５０、６０のフック４１、５１、６１の外径Ｄ１１、チューブＴの外径Ｄ２、前記後方部４の開口４ａの径Ｄ３、及び後方部４の内径Ｄ４のそれぞれの大きさが、例えば図１４〜図１６に示したように、以下の関係式（ｉ）〜（ｉｉｉ）を満足するものであることが好ましい。すなわち、
【００７６】
フック４１、５１、６１の外径Ｄ１１＞チューブＴの外径Ｄ２        （ｉ）
フック４１、５１、６１の外径Ｄ１１＞後方部４の開口４ａの径Ｄ３  （ｉｉ）
フック４１、５１、６１の外径Ｄ１１＞後方部４の内径Ｄ４        （ｉｉｉ）
【００７７】
ここで、針カバー１の後方部４は、テーパー状に細くなっていてもよいし、ストレートの寸胴でもよい。またスリット７が形成された形状でもよいしスリットが無い形状でもよい。前記係止部４０、５０、６０を採用する場合は、針カバー１の後方部４は、基本的にスリットが無い寸胴の形状が採用され、これらの背面（後方開口４ａの端面４ｂ）に、係止部４０、５０、６０のフック４１、５１、６１の前面が係合する。
【００７８】
つぎに本発明の針カバー付医療用針の別の実施態様についてその使用方法の例について図面を参照しながら説明する。
【００７９】
（針カバー付医療用針の使用方法ｉ）（図１４）
図１４（Ａ）は、針２２が針カバー１より前方に露出した第一の位置（ｐ１）を、図１４（Ｃ）は、針２２が針カバー１内に収納され、保護されている第二の位置（ｐ２）を示しており、図１４（Ｂ）は、針２２が第一の位置（ｐ１）から第二の位置（ｐ２）へ移動する途中の位置（ｐｔ）をそれぞれ示している。
【００８０】
（１）患者に薬液等の注入を終えた状態においては、針２２は針カバー１より前方に露出した第一の位置にある。これが図１４（Ａ）に示された状態である。
【００８１】
（２）針２２を第一の位置から第二の位置まで移動させるため、針カバー１を片方の手で固定し、他方の手でチューブＴを後方に引き、当該チューブ部分を針カバー２３の後方部の後方開口４ａから外へ引き出す。係止部４０のフック４１は、図１４（Ｂ）に例示するように、後方部４方向へ移動し、内側に撓みながら後方部４内を通過する。この場合、図３（Ｂ）〜図５（Ｂ）等の場合と異なり、後方部４が外側に押し広げられる必要はない。
【００８２】
（３）そして、針２２が第二の位置まで移動した後は、フック４１の前面が、後方部４の背面（後方開口４ａの端面４ｂ）に係止される。上記式で表現されているとおり、係止部のフック４１の外径Ｄ１１は、後方部４開口４ａの径Ｄ３より大きく形成されているので、係止部４０は、安定的に、針２２が後方部４方向へ逆に移動するのを阻止する。
針２２は、針カバー１内に収納された後は、再び針カバー１から第一の位置方向へ移動して、鋭利な針先が露出することはない。
【００８３】
（針カバー付医療用針の使用方法ｉｉ）（図１５）
図１５は、図１４の係止部４０を、係止部５０に代えた例で、使用方法は実質的に同じであるから、詳細な説明は省略する。
【００８４】
この場合、係止部５０のフック５１は、係止部４０のフック４１よりも長く形成されているので、係止部４０よりも後方部４内を通過しやすく、より係止しやすい。
【００８５】
また、係止部５０の場合は、第一の位置で、すでに後方部（チューブ側の端面）が針カバー１の後方部４の中にあるため、第二の位置へ移動する際は後方部４に引っ掛からずにスムーズに移動することができる。
【００８６】
（針カバー付医療用針の使用方法ｉｉｉ）（図１６）
図１６は、上記した図１４、図１５の係止部４０、５０を、係止部６０に代えた例である。
図１６（Ａ）は、針２２が針カバー１より前方に露出した第一の位置（ｐ１）、図１６（Ｃ）は、針２２が針カバー１内に収納される第二の位置（ｐ２）、図１６（Ｂ）は針２２が第一の位置から第二の位置へ移動する途中の位置（ｐｔ）をそれぞれ示している。
（１）患者に薬液等の注入を終えた状態では、図１６（Ａ）に示すように、針２２は針カバー１より前方に露出した第一の位置にある。
【００８７】
（２）針カバー１を片方の手で固定し、他方の手でチューブＴを後方に引くと、係止部６０のフック６１は、図１６（Ｂ）に例示するように、後方部４方向へ移動し、内側に撓みながら後方部４内を通過する。
【００８８】
（３）そして、針２２が第二の位置（ｐ１）まで移動した後は、フック６１の前面が、後方部４の背面（後方開口４ａの端面４ｂ）に係止される。
【００８９】
上記式で表現されているとおり、係止部のフック６１の外径Ｄ１１は、後方部４開口部４ａの径Ｄ３より大きく形成されているので、係止部６０は、後方部４方向へ逆に移動するのを阻止される。針２２は、針カバー１内に収納された後は、再び針カバー１から第一の位置方向へ移動して、鋭利な針先が露出することはない。
【産業上の利用可能性】
【００９０】
本発明の針カバー付医療用針は、煩わしい操作なしに容易に、しかも安全、確実に針カバー内に収納することができるものであり、操作性と安全性を両立させた医療用針として、輸液及び輸血等に好適に使用される。
【図面の簡単な説明】
【００９１】
【図１】本発明の針カバーの一例を示す概略図であって、（Ａ）は本発明の針カバー１の正面斜視図、（Ｂ）はスリットが開いた状態を示す正面斜視図である。
【図２】本発明の針カバーの一例を示す概略図であって、（Ａ）は本発明の針カバーの正面斜視図、（Ｂ）はスリットが開いた状態を示す正面斜視図である。
【図３】針カバー付医療用針の使用方法の一例について示す図であり、（Ａ）〜（Ｃ）は、使用時の経過を時系列的に示す断面図であり、（Ｄ）は、翼付針の平面図である。
【図４】針カバー付医療用針の使用方法の一例について示す図であり、（Ａ）〜（Ｃ）は、使用時の経過を時系列的に示す斜視図である。
【図５】針カバー付医療用針の使用方法の一例について示す図であり、（Ａ１）〜（Ｃ１）は、使用時の経過を時系列的に示す断面図であり、（Ａ２）〜（Ｃ２）は使用時の経過を時系列的に示す平面図である。
【図６】針カバー付医療用針の使用方法の一例について示す図であり、（Ａ）〜（Ｉ）は、使用時の経過を時系列的に示す断面図であり、（Ｊ）は、翼付針の平面図である。
【図７】針カバー付医療用針の使用方法の一例について示す図であり、（Ａ）〜（Ｃ）は、使用時の経過を時系列的に示す斜視図である。
【図８】針カバー付医療用針の使用方法の一例について示す図であり、（Ａ１）〜（Ｃ１）は、使用時の経過を時系列的に示す断面図であり、（Ａ２）〜（Ｃ２）は使用時の経過を時系列的に示す平面図である。
【図９】針カバー付医療用針の使用方法の一例について示す図であり、（Ａ）〜（Ｃ）は、使用時の経過を時系列的に示す斜視図である。
【図１０】針カバー付医療用針の使用方法の一例について示す図であり、（Ａ１）〜（Ｃ１）は、使用時の経過を時系列的に示す断面図であり、（Ａ２）〜（Ｃ２）は使用時の経過を時系列的に示す平面図である。
【図１１】針カバー付医療用針の使用方法の一例について示す図であり、（Ａ）〜（Ｃ）は、使用時の経過を時系列的に示す斜視図である。
【図１２】針カバー付医療用針の使用方法の一例について示す図であり、（Ａ１）〜（Ｃ１）は、使用時の経過を時系列的に示す断面図であり、（Ａ２）〜（Ｃ２）は使用時の経過を時系列的に示す平面図である。
【図１３】針カバー付医療用針の使用方法の一例について示す図であり、（Ａ）〜（Ｉ）は、使用時の経過を時系列的に示す断面図であり、（Ｊ）は、翼付針の平面図である。
【図１４】針カバー付医療用針の使用方法の他の一例について示す図であり、（Ａ）〜（Ｃ）は、使用時の経過を時系列的に示す断面図であり、（Ｄ）は、翼付針の平面図であり、（Ｅ）は翼付針の斜視図、（Ｆ）はその反対側から見た斜視図である。
【図１５】針カバー付医療用針の使用方法の他の一例について示す図であり、（Ａ）〜（Ｃ）は、使用時の経過を時系列的に示す断面図であり、（Ｄ）は、翼付針の平面図であり、（Ｅ）は翼付針の斜視図、（Ｆ）はその反対側から見た斜視図である。
【図１６】針カバー付医療用針の使用方法の他の一例について示す図であり、（Ａ）〜（Ｃ）は、使用時の経過を時系列的に示す断面図であり、（Ｄ）は、翼付針の平面図であり、（Ｅ）は翼付針の斜視図、（Ｆ）はその反対側から見た斜視図である。
【符号の説明】
【００９２】
１   針カバー
２   前方部
２ａ  突部
３    中腹部
４    後方部
４ａ  後方部４の開口
４ｂ  後方部４の開口の端面
５    開口部
７    スリット
８  （翼状）ストッパー
８ａ  係止部
８ｂ  肉厚部
８ｃ  係止部
２１  翼付針
２２  針
２３  針基
２４  翼部
２７  係止部（リング状）
２７ａ  その前面
２８  係止部（パイプ状）
３０  針基に装着又は形成される係止部
４０  係止部
４１  フック
４２  本体
４３  連結部
５０  係止部
５１  フック
５２  本体
６０  係止部
６１  フック
６２  本体
６３  連結部
６５  環状の固定部材
Ｄ１  係止部の外径
Ｄ２  チューブの外径
Ｄ３  後方部４の開口４の径
Ｄ４  後方部４の内径
Ｔ    チューブ  
ｐ１  第一の位置
ｐ２  第二の位置
ｐｔ  第一の位置（ｐ１）から第二の位置（ｐ２）へ移動する途中の位置
【図１】
2007312982.tif 000003
【図２】
2007312982.tif 000004
【図３】
2007312982.tif 000005
【図４】
2007312982.tif 000006
【図５】
2007312982.tif 000007
【図６】
2007312982.tif 000008
【図７】
2007312982.tif 000009
【図８】
2007312982.tif 000010
【図９】
2007312982.tif 000011
【図１０】
2007312982.tif 000012
【図１１】
2007312982.tif 000013
【図１２】
2007312982.tif 000014
【図１３】
2007312982.tif 000015
【図１４】
2007312982.tif 000016
【図１５】
2007312982.tif 000017
【図１６】
2007312982.tif 000018